(57)【特許請求の範囲】
【請求項１】
ロール紙を保持するスプールと、該スプールに取り付けるストッパとからなるロール紙ホルダにおいて、上記ストッパが、上記スプール上への折り畳み及び上記スプール上から離れるように立ち上げ可能にストッパ本体上に軸支したストップ部材を有し、該ストップ部材を上記スプール上へ折り畳んで、上記スプールに装着する上記ロール紙を回避可能とし、該ロール紙装着後に上記スプール上から立ち上げて装着したロール紙が上記スプールのスラスト方向に移動しないようにしてなり、該ストップ部材の回動方向を、上記スプールのラジアル方向としてなることを特徴とするロール紙ホルダ。
【請求項２】
上記ストップ部材が上記ストッパ本体上で上記スプールのスラスト方向に沿って移動可能とする微調整機構を有することを特徴とする請求項１のロール紙ホルダ。
【請求項３】
上記微調整機構が、上記ストッパ本体の上記スプールへの固定部位に設けたスラスト方向に伸びる長孔と、該長孔を通して上記ストッパ本体を上記スプールへ固着するネジであることを特徴とする請求項２のロール紙ホルダ。
【請求項４】
上記ストップ部材を、上記ストッパ本体上へ軸支した軸に沿って移動可能とし、上記ストッパ本体に、上記軸に沿って上記ストッパ本体内へ出没操作可能な部材を設けて上記微調整機構を構成してなることを特徴とする請求項２のロール紙ホルダ。
【請求項５】
請求項１ないし４のいずれかの上記ロール紙ホルダを装着して用いるロール紙給紙装置において、上記ロール紙ホルダから引き出したロール紙端の側縁位置を検知する手段を有し、該ロール紙端縁検知手段によりロール紙のスラスト方向のずれを検出することを特徴とするロール紙給紙装置。
【発明の詳細な説明】
【０００１】
【発明の属する技術分野】
本発明は複写機、プリンター用のロール紙を保持するためのロール紙ホルダ、及びこれを用いたロール紙給紙装置に関する。
【０００２】
【従来の技術】
図１は従来のロール紙ホルダのスプールの構造を示す斜視図である。このスプール１０７は、軸１００、１１２を六角穴付きネジで固定し、片側にギア１０２、スペーサ１０３、ブレーキ１０４、ディスク１０５、スプリング１０６、スプリング受け１０１を設けている。ブレーキ１０４は、スプリング１０６によりギア１０２に一定の圧力で押し付けらる。これは、ロール紙を装着して搬送する時にスプール１０７に負荷を付けないと、ロール紙１が慣性によりたるむ等するのを防ぐためのものである。
【０００３】
ロール紙１をスプール１０７に固定するために、レバー１０９を設けてある。レバー１０９は、段ビス１０９を中心として回動可能で、スプリング１１０でレバー１０９を押し上げ得るようになっている。レバー１０９の途中部位には、山切り状部１０９ａが設けてあり、ロール紙を挿入してセットする時、ロール紙の紙管に山切り状部１０９ａが喰い込むことでスプール１０７にロール紙１が固定される。
【０００４】
ところで、この種のロール紙を使用する画像形成装置のユーザーは、スプールをオプションとして複数購入し、種々のサイズのロール紙に対して各サイズ毎にスプール１０７を持っている場合が多い。そして、使用していないロール紙を保管する場合、スプール１０７と一緒にして立て掛けておくことが非常に多い。この場合、図２に示すように、ギア１０２を下側にする。この状態では、スプール１０７とロール紙１は、上述のようにレバー１０９で固定されているので、ロール紙１がその自重等で下に落ちてしまうことがある。
【０００５】
【発明が解決しようとする課題】
これを防止するために、図３に示すように、スプール１０７にストッパ１１４を設けることがある。しかしながら、ストッパ１１４を設けると、ロール紙のセットが非常に困難になる。即ち、ロール紙１をスプール１０７にセットするときはギア１０２の方から装着しなければならない（反対側の軸１１２側からではレバー１０９があってセットしづらい）ので、ストッパ１１４を一度はずしてからでないとロール紙１を交換できないからである。
【０００６】
そこで本発明は、ストッパをはずさなくてもロール紙を交換できるロール紙ホルダと、これを用いたロール紙給紙装置を提供することを目的とする。
【０００７】
また上述のような従来のロール紙ホルダでは、実際にコピー等するときの横レジストのずれが問題になることがあり、そこで本発明は上述のロール紙ホルダとともに、ロール紙のスラスト方向のズレを表示可能として試し用のコピー等画像形成動作を不要にできるロール紙給紙装置を提供することをも目的とする。
【０００８】
【課題を解決するための手段】
本発明のロール紙ホルダのうち請求項１に係るものは、上記目的を達成するために、ロール紙を保持するスプールと、該スプールに取り付けるストッパとからなるロール紙ホルダにおいて、上記ストッパが、上記スプール上への折り畳み及び上記スプール上から離れるように立ち上げ可能にストッパ本体上に軸支したストップ部材を有し、該ストップ部材を上記スプール上へ折り畳んで、上記スプールに装着する上記ロール紙を回避可能とし、該ロール紙装着後に上記スプール上から立ち上げて装着したロール紙が上記スプールのスラスト方向に移動しないようにしてなり、該ストップ部材の回動方向を、上記スプールのラジアル方向としてなることを特徴とする。
【０００９】
同請求項２に係るものは、上記ストップ部材が上記ストッパ本体上で上記スプールのスラスト方向に沿って移動可能とする微調整機構を有することを特徴とする。
【００１０】
同請求項３に係るものは、上記微調整機構が、上記ストッパ本体の上記スプールへの固定部位に設けたスラスト方向に伸びる長孔と、該長孔を通して上記ストッパ本体を上記スプールへ固着するネジであることを特徴とする。
【００１１】
同請求項４に係るものは、上記ストップ部材を、上記ストッパ本体上へ軸支した軸に沿って移動可能とし、上記ストッパ本体に、上記軸に沿って上記ストッパ本体内へ出没操作可能な部材を設けて上記微調整機構を構成してなることを特徴とする。
【００１２】
【発明の実施の形態】
以下本発明の実施の形態を図面を参照して説明する。なお以下では従来と共通する部分には共通する符号を付し、重複する説明は省略する。
図４は本発明に係るロール紙ホルダの一実施形態の要部を拡大して示す断面図で、（Ａ）はスラスト方向の断面図、（Ｂ）はラジアル方向の断面図である。本実施形態のロール紙ホルダは、従来と同様のスプール１０７に、従来のストッパ１１４に代わるストッパ３を取り付けたものである。
【００１３】
本実施形態のストッパ３は、主に、ブラケット３ａ、ストップ部材３ｂ、軸３ｃ及び段付ネジ３ｄという４部品からなる。
【００１４】
一方、スプール１０７には溝１０７ａが設けてあり、ブラケット３ａの両縁がこの溝１０７ａに入り込んでいてスプール１０７の長手方向に移動可能となっている。またスプール１０７には各種のロール紙１の幅に対応するところにネジ孔が切ってあり、ブラケット３ａを段付ネジ３ｄにより所定の位置でスプール１０７に固定できるようになっている。なお段付ネジ３ｄにはＥリング３ｅを装着してブラケット３ａから外れないようにしてある。
【００１５】
ストップ部材３ｂは、ブラケット３ａにスプール１０７のスラスト方向で取り付けた軸３ｃを中心としてラジアル方向に回動可能としてある。図５はストップ部材３の状態を示す側面図で、この図中に実線で示すストップ部材３ｂの位置はロール紙１のストッパとなる立ち上がり状態で、ストップ部材３ｂの端部側がロール紙１の用紙１ａを巻き付けるための紙管１ｂ部分に当接できる状態である。また図中鎖線で示すストップ部材３ｂの位置はスプール１０７に取り付けるロール紙１の紙管１ｂの内側に入ってロール紙１の交換時に当たらないようにした折り畳み状態である。
【００１６】
即ち、この実施形態では、ストップ部材３ｂをスプール１０７上（具体的にはブラケット３ａ上）へ折り畳んで、スプール１０７に装着するロール紙１が当たらないように回避し、ロール紙１を装着後に回動させてスプール１０７上から立ち上げ、装着したロール紙１がスプール１０７のスラスト方向に移動しないように固定する。
【００１７】
図６は、図４のストッパ３の位置の微調整機構の一例を示す平面図である。ブラケット３ａの端部に設ける段付ネジ３ｄの取り付け穴３ｇを長穴にすることでスプール１０７へのブラケット３ａの取り付け位置を微調整できるようになっている。一応の目安として目盛り３ｆを設けてあるので、移動量がわかるようになっている。
【００１８】
図７は、図４のストッパ３の位置の微調整機構の他の例を示すである。この例の機構は、ブラケット３ａの軸３ｃの取り付け部分３ｋにタップが切ってあり、この部分に取り付けたネジ３ｈを回転させて、ストップ部材３ｂを移動させるものである。具体的には、ネジ３ｈが回転しつつ移動するとストップ部材３ｂが一体となって移動し、スラスト方向の位置を微調整できる。なおネジ３ｈにはストップ部材３ｂのスラスト方向の固定のため、止め輪３ｊを設けてある。またブラケット３ａをスプール１０７固定する部分は基準穴３ｌとなっている。この機構では、スプール１０７からロール紙１をはずさないでストップ部材３ｂの位置を移動させることができる。
【００１９】
図８は、上述のロール紙ホルダを用いたロール紙給紙装置を備えたロール紙給紙装置の一実施形態と、その上に搭載した画像形成装置を概念的に示す断面図である。図中２００はロール紙給紙装置を、２１０は画像形成装置を示す。
【００２０】
このロール紙給紙装置２００は、ロール紙ホルダを上下２段に各２本セットするための給紙トレイ２００ａ、２００ｂを備え、上段の給紙トレイ２００ａには第１ホルダ２０１及び第２ホルダ２０２、下段の給紙トレイ２００ｂには第３ホルダ２０３及び第４ホルダ２０４を搭載している。各ロール紙ホルダ２０１〜２０４の構成は、図１〜図７で示したものである。
【００２１】
また上段の給紙トレイ２００ａには検知手段２０５を備え、この検知手段２０５ではロール紙１の有無、サイズだけでなく、位置も検知できるようにしてある。そのため検知手段２０５には例えばＣＣＤを用いたセンサ等を採用すればよい。さらに、上下段の給紙トレイ２００ａ、２００ｂともに簡易カッタ２０６を設けてあり、セットしたロール紙ホルダ２０１〜２０４から引き出したロール紙１の先端部をカットして側縁に対して直角な端縁を得られるようにしてある。
【００２２】
この装置では、ロール紙ホルダ２０１〜２０４をセットして図示せぬ給紙部の蓋を閉じると、上下段のロール紙ホルダ２０１〜２０４の有無、ロール紙１サイズを検知するために、各ロール紙ホルダ２０１〜２０４毎に検知手段２０５までロール紙１を送る。検知手段２０５ではロール紙１の有無、サイズだけでなく、位置も、即ちロール紙１の端部を検出し、ロール紙１が所定のセット位置からどれくらいずれているかを算出して、その結果を図示せぬディスプレイ等に表示する。この表示されたずれ量を上述のストッパ３の位置の微調整機構により修正する。
【００２３】
【発明の効果】
請求項１に係るロール紙ホルダは、以上説明してきたようなものなので、スプールを立て掛けたときにロール紙がその重さ等で落下するのを防止できるだけでなく、ストッパを外さなくてもロール紙の着脱できるようになるという効果がある。
【００２４】
請求項２、３に係るロール紙ホルダは、上記共通の効果に加え、スプールのスラスト方向にストッパの位置を微調整可能であるため、ロール紙幅のバラツキに対応できるという効果がある。
【００２５】
請求項４に係るロール紙ホルダは、上記請求項２と共通の効果に加え、ロール紙を取り外さなくてもスプールのスラスト方向にストッパの位置を微調整可能できるという効果がある。
【００２６】
請求項５に係るロール紙給紙装置は、以上説明してきたようにロール紙端縁の位置検知により、スプールのスラスト方向でのズレが表示できるので試し用のコピーが不要となり省資源化が達成できるという効果がある。
【図面の簡単な説明】
【図１】従来のロール紙ホルダのスプールの構造を示す斜視図である。
【図２】使用していないロール紙を保管する場合にスプールと一緒にして立て掛けておく状態の側面図である。
【図３】ストッパを使用してロール紙をスプールと一緒にして立て掛けておく状態の側面図である。
【図４】本発明に係るロール紙ホルダの一実施形態の要部を拡大して示す断面図で、（Ａ）はスラスト方向の断面図、（Ｂ）はラジアル方向の断面図である。
【図５】図４のストッパの拡大側面図である。
【図６】図４のストッパの位置の微調整機構の一例を示す平面図である。
【図７】図４のストッパの位置の微調整機構の他の例を示す平面図である。
【図８】ロール紙ホルダを用いたロール紙給紙装置を備えたロール紙給紙装置の一実施形態と、その上に搭載した画像形成装置を概念的に示す断面図である。
【符号の説明】
１  ロール紙
１ａ  用紙
１ｂ  紙管
３  ストッパ
３ａ  ブラケット
３ｂ  ストップ部材
３ｃ  軸
３ｄ  段付ネジ
３ｅ  Ｅリング
３ｆ  目盛り
３ｇ  取り付け穴
３ｈ  ネジ
３ｊ  止め輪
３ｋ  軸の取り付け部分
３ｌ  基準穴
１０７  スプール
１０７ａ  溝
２００  ロール紙給紙装置
２１０  画像形成装置
２００ａ、２００ｂ  給紙トレイ
２０１〜２０４  ロール紙ホルダ
２０５  検知手段
２０６  簡易カッタ
【図１】
0003590866.tif 000002
【図２】
0003590866.tif 000003
【図３】
0003590866.tif 000004
【図４】
0003590866.tif 000005
【図５】
0003590866.tif 000006
【図６】
0003590866.tif 000007
【図７】
0003590866.tif 000008
【図８】
0003590866.tif 000009